(57)【要約】【課題】ユーザの利便性を損なうことなく、給湯箇所に給湯上限温度を超える温度の水が供給されてしまうことを防止することが可能な技術を提供する。【解決手段】本明細書が開示するバーナユニットは、燃料を燃焼させて水を加熱するバーナと、バーナで加熱された水の温度をバーナ出口温度として検出する温度検出手段と、バーナコントローラを備えている。バーナコントローラは、バーナの燃焼時に、バーナ出口温度と目標加熱温度の差が小さくなるように、バーナの加熱能力を調整するように構成されている。バーナコントローラは、バーナの燃焼時に、バーナ出口温度が給湯上限温度以上になると、バーナを消火する緊急停止処理を実行するように構成されている。バーナコントローラは、バーナの燃焼時に、目標加熱温度が給湯設定温度を超える場合には、バーナ出口温度が給湯上限温度以上になっても、緊急停止処理を実行しないように構成されている。【選択図】図２
2018162955.tif 000002
【特許請求の範囲】
【請求項１】
燃料を燃焼させて水を加熱するバーナと、
バーナで加熱された水の温度をバーナ出口温度として検出する温度検出手段と、
バーナコントローラを備えるバーナユニットであって、
バーナコントローラは、バーナの燃焼時に、バーナ出口温度と目標加熱温度の差が小さくなるように、バーナの加熱能力を調整するように構成されており、
バーナコントローラは、バーナの燃焼時に、バーナ出口温度が給湯上限温度以上になると、バーナを消火する緊急停止処理を実行するように構成されており、
バーナコントローラは、バーナの燃焼時に、目標加熱温度が給湯設定温度を超える場合には、バーナ出口温度が給湯上限温度以上になっても、緊急停止処理を実行しないように構成されている、バーナユニット。
【請求項２】
請求項１のバーナユニットと、
バーナユニットよりも上流側に配置された第１給湯経路と、
バーナユニットよりも下流側に配置された第２給湯経路と、
バーナユニットを介さずに第１給湯経路と第２給湯経路を接続する給湯バイパス経路と、
給湯バイパス経路に設けられたバイパス制御弁を備えており、
バーナユニットのバーナを燃焼させ、かつバイパス制御弁を開いて給湯を行う場合に、バーナユニットの目標加熱温度を給湯設定温度より高く設定する、給湯装置。
【請求項３】
水を供給する給水経路と、
水を蓄えるタンクと、
タンクの下部と給水経路を接続するタンク給水経路と、
タンクの上部と第１給湯経路を接続するタンク出湯経路と、
タンクを介さずに給水経路と第１給湯経路を接続するタンクバイパス経路と、
タンク出湯経路から第１給湯経路に流れる水の流量とタンクバイパス経路から第１給湯経路に流れる水の流量の割合を調整する混合弁をさらに備える、請求項２の給湯装置。
【請求項４】
外気から吸熱して水を加熱するヒートポンプと、
タンクとヒートポンプの間で水を循環させる循環経路と、
循環経路に設けられた循環ポンプをさらに備える、請求項３の給湯装置。
【発明の詳細な説明】
【技術分野】
【０００１】
本明細書で開示する技術は、バーナユニットおよび給湯装置に関する。
【背景技術】
【０００２】
特許文献１には、燃料を燃焼させて水を加熱するバーナと、バーナで加熱された水の温度をバーナ出口温度として検出する温度検出手段と、バーナコントローラを備えるバーナユニットが開示されている。バーナコントローラは、バーナの燃焼時に、バーナ出口温度と目標加熱温度の差が小さくなるように、バーナの加熱能力を調整するように構成されている。
【先行技術文献】
【特許文献】
【０００３】
【特許文献１】特開２０１３−２２４７８２号公報
【発明の概要】
【発明が解決しようとする課題】
【０００４】
通常、バーナユニットでは、給湯箇所に給湯上限温度（例えば５８℃）を超える高温の水が供給されることを防止するための安全対策が採られている。このような安全対策として、例えば、バーナコントローラが、バーナの燃焼時に、バーナ出口温度が給湯上限温度以上になると、バーナを消火する緊急停止処理を実行するように構成されていることがある。このような構成とすると、バーナユニットから給湯上限温度を超える温度の水が供給されることがなく、従って給湯箇所にも給湯上限温度を超える温度の水が供給されることがないので、ユーザの安全性を確保することができる。
【０００５】
しかしながら、特許文献１に記載の構成のように、バーナユニットよりも下流側で、バーナユニットで加熱された水に低温の水が混合され得る構成の場合には、上記の安全対策ではユーザの利便性を損なう場合がある。バーナユニットで加熱された水に低温の水が混合される場合には、バーナユニットから給湯上限温度を超える温度の水が供給されても、給湯箇所には給湯上限温度を超える温度の水は供給されない。このような場合にまで、バーナを消火してしまうと、給湯箇所には低温の水が供給されることとなり、ユーザの利便性を損なうことになる。
【０００６】
本明細書では、上記の課題を解決する技術を提供する。本明細書では、ユーザの利便性を損なうことなく、給湯箇所に給湯上限温度を超える温度の水が供給されてしまうことを防止することが可能な技術を提供する。
【課題を解決するための手段】
【０００７】
本明細書は、バーナユニットを開示する。バーナユニットは、燃料を燃焼させて水を加熱するバーナと、バーナで加熱された水の温度をバーナ出口温度として検出する温度検出手段と、バーナコントローラを備えている。バーナコントローラは、バーナの燃焼時に、バーナ出口温度と目標加熱温度の差が小さくなるように、バーナの加熱能力を調整するように構成されている。バーナコントローラは、バーナの燃焼時に、バーナ出口温度が給湯上限温度以上になると、バーナを消火する緊急停止処理を実行するように構成されている。バーナコントローラは、バーナの燃焼時に、目標加熱温度が給湯設定温度を超える場合には、バーナ出口温度が給湯上限温度以上になっても、緊急停止処理を実行しないように構成されている。
【０００８】
通常、バーナユニットよりも下流側で、バーナユニットで加熱された水に低温の水が混合される場合には、バーナユニットでの目標加熱温度は、給湯設定温度よりも高く設定される。これに対して、バーナユニットよりも下流側で、バーナユニットで加熱された水に低温の水が混合されない場合には、バーナユニットでの目標加熱温度は、給湯設定温度と同じ温度に設定される。上記のバーナユニットでは、目標加熱温度が給湯設定温度以下の場合には、バーナユニットよりも下流側で低温の水が混合されないと判断し、バーナ出口温度が給湯上限温度以上になるとバーナを消火する。また、上記のバーナユニットでは、目標加熱温度が給湯設定温度を超える場合には、バーナユニットよりも下流側で低温の水が混合されると判断し、バーナ出口温度が給湯上限温度以上となってもバーナを消火しない。上記のバーナユニットによれば、ユーザの利便性を損なうことなく、給湯箇所に給湯上限温度を超える温度の水が供給されてしまうことを防止することができる。
【０００９】
本明細書は給湯装置も開示する。給湯装置は、上記のバーナユニットと、バーナユニットよりも上流側に配置された第１給湯経路と、バーナユニットよりも下流側に配置された第２給湯経路と、バーナユニットを介さずに第１給湯経路と第２給湯経路を接続する給湯バイパス経路と、給湯バイパス経路に設けられたバイパス制御弁を備えている。給湯装置は、バーナユニットのバーナを燃焼させ、かつバイパス制御弁を開いて給湯を行う場合に、バーナユニットの目標加熱温度を給湯設定温度より高く設定する。
【００１０】
上記の給湯装置では、給水源から給湯箇所までの圧力損失が大きく、給湯箇所へ所望の給湯流量を供給できない場合に、バイパス制御弁を開くことで、給水源から給湯箇所までの圧力損失を低減して、給湯箇所へ所望の給湯流量を供給することができる。また、上記の給湯装置では、バーナユニットのバーナを燃焼させ、かつバイパス制御弁を開いて給湯を行う場合に、バーナユニットの目標加熱温度を給湯設定温度より高く設定することで、給湯設定温度の水を給湯箇所へ供給することができる。そして、上記の給湯装置によれば、ユーザの利便性を損なうことなく、給湯箇所に給湯上限温度を超える温度の水が供給されてしまうことを防止することができる。
【００１１】
上記の給湯装置は、水を供給する給水経路と、水を蓄えるタンクと、タンクの下部と給水経路を接続するタンク給水経路と、タンクの上部と第１給湯経路を接続するタンク出湯経路と、タンクを介さずに給水経路と第１給湯経路を接続するタンクバイパス経路と、タンク出湯経路から第１給湯経路に流れる水の流量とタンクバイパス経路から第１給湯経路に流れる水の流量の割合を調整する混合弁をさらに備えていてもよい。
【００１２】
上記の給湯装置によれば、バーナユニット以外の熱源によって加熱された水をタンクに貯えておいて、タンクに貯えられた熱を利用して給湯を行うことができる。給湯装置のエネルギー効率を高めることができる。
【００１３】
上記の給湯装置は、外気から吸熱して水を加熱するヒートポンプと、タンクとヒートポンプの間で水を循環させる循環経路と、循環経路に設けられた循環ポンプをさらに備えていてもよい。
【００１４】
上記の給湯装置によれば、エネルギー効率の高いヒートポンプを熱源として水を加熱し、加熱された水をタンクに貯えておいて、タンクに貯えられた熱を利用して給湯を行うことができる。給湯装置のエネルギー効率を高めることができる。
【図面の簡単な説明】
【００１５】
【図１】実施例に係る給湯装置２の構成を模式的に示す図である。
【図２】実施例に係る給湯装置２において、バーナコントローラ１００が行う緊急停止処理のフローチャートである。
【発明を実施するための形態】
【００１６】
（実施例）
図１に示すように、本実施例に係る給湯装置２は、ＨＰ（ヒートポンプ）ユニット４と、タンクユニット６と、バーナユニット８を備えている。
【００１７】
ＨＰユニット４は、外気から吸熱して水を加熱する熱源である。ＨＰユニット４は、圧縮機１０と、凝縮器１２と、膨張弁１４と、蒸発器１６からなるヒートポンプ１７を備えている。ヒートポンプ１７は、冷媒（例えばＲ３２やＲ４１０ＡといったＨＦＣ冷媒や、Ｒ７４４といったＣＯ２冷媒）を、圧縮機１０、凝縮器１２、膨張弁１４、蒸発器１６の順に循環させることで、外気から吸熱して水を加熱する。圧縮機１０は、冷媒を加圧して高温高圧にする。凝縮器１２は、循環経路１９を流れる水との熱交換により冷媒を冷却する。循環経路１９は、タンクユニット６内のタンク３０とＨＰユニット４内の凝縮器１２の間で水を循環させる経路である。膨張弁１４は、冷媒を減圧して低温低圧にする。蒸発器１６はファン（図示せず）を備えており、ファンにより送風される外気との熱交換により冷媒を加熱する。ＨＰユニット４はさらに、循環経路１９の水をタンク３０と凝縮器１２の間で循環させる循環ポンプ１８と、凝縮器１２に流れ込む水の温度を検出する戻りサーミスタ２０と、凝縮器１２から流れ出る水の温度を検出する往きサーミスタ２２と、外気温度を検出する外気温度サーミスタ２３と、ＨＰユニット４の各構成要素の動作を制御するＨＰコントローラ２４を備えている。
【００１８】
タンクユニット６は、タンク３０と、混合弁３２と、バイパス制御弁３４を備えている。タンク３０は、外側が断熱材で覆われており、内部に水を蓄える密閉型の容器である。本実施例のタンク３０の容量は、例えば１００リットルである。ＨＰユニット４の循環ポンプ１８が駆動すると、タンク３０の底部から循環経路１９に水が吸い出されて凝縮器１２へ送られる。凝縮器１２で加熱されて高温となった水は、循環経路１９を流れて、タンク３０の頂部からタンク３０内に戻される。ＨＰユニット４によって加熱された水がタンク３０に流れ込むと、タンク３０の内部には、低温の水の層の上に高温の水の層が積み重なった温度成層が形成される。タンク３０には、上部の水の温度を検出する上部サーミスタ３６と、中間部の水の温度を検出する中間部サーミスタ３７と、下部の水の温度を検出する下部サーミスタ３８が取り付けられている。本実施例では、上部サーミスタ３６はタンク３０の頂部から６リットルの位置に配置されており、中間部サーミスタ３７はタンク３０の頂部から１２リットルの位置に配置されており、下部サーミスタ３８はタンク３０の頂部から３０リットルの位置に配置されている。
【００１９】
タンクユニット６には、給水経路４０を介して給水源から水道水が供給される。給水経路４０には、給水圧力を減圧する減圧弁４２と、給水温度を検出する入水サーミスタ４４が取り付けられている。給水経路４０は、タンク３０の底部に連通するタンク給水経路４６と、混合弁３２に連通するタンクバイパス経路４８に分岐している。タンク給水経路４６とタンクバイパス経路４８には、それぞれ逆止弁５０，５２が取り付けられている。また、タンクバイパス経路４８には、混合弁３２に流入する水道水の流量を検出する水側水量センサ５４が取り付けられている。タンク３０の頂部と混合弁３２は、タンク出湯経路５６を介して連通している。タンク出湯経路５６には、逆止弁５８と、混合弁３２に流入するタンク３０からの水の流量を検出する湯側水量センサ６０が取り付けられている。
【００２０】
混合弁３２は、タンクバイパス経路４８から流れ込む水道水と、タンク出湯経路５６から流れ込むタンク３０からの水を混合して、第１給湯経路６２に送り出す。混合弁３２は、ステッピングモータによって弁を駆動し、タンクバイパス経路４８側の開度（水側の開度）と、タンク出湯経路５６側の開度（湯側の開度）を調整する。第１給湯経路６２には、混合弁３２から送り出される水の温度を検出する混合サーミスタ６４が取り付けられている。
【００２１】
タンクユニット６からは、第２給湯経路６６を介して、台所やシャワー、カラン等の給湯箇所への給湯が行われる。第２給湯経路６６には、給湯箇所へ供給される水の温度を検出する給湯サーミスタ６８と、逆止弁７０が取り付けられている。第１給湯経路６２と第２給湯経路６６の間は、給湯バイパス経路７２によって連通している。給湯バイパス経路７２には、バイパス制御弁３４が取り付けられている。
【００２２】
タンクユニット６は、タンクコントローラ７４と、タンクコントローラ７４と通信可能なリモコン７６を備えている。タンクコントローラ７４は、タンクユニット６の各構成要素の動作を制御する。リモコン７６は、スイッチやボタン等を介して、ユーザからの各種の操作入力を受け入れる。また、リモコン７６は、表示や音声によってユーザに給湯装置２の設定や動作に関する各種の情報を通知する。
【００２３】
バーナユニット８は、バーナ８０と、熱交換器８２と、バイパスサーボ８４と、水量サーボ８６と、湯はり弁８８を備えている。バーナ８０は、ガスの燃焼によって熱交換器８２を流れる水を加熱する補助熱源機である。熱交換器８２には、バーナ往路９０を介して、タンクユニット６の第１給湯経路６２からの水が流れ込む。熱交換器８２を通過した水は、バーナ復路９２を介して、タンクユニット６の第２給湯経路６６へ流れ出る。バーナ往路９０には、バーナ往路９０を流れる水の流量を調整する水量サーボ８６と、バーナ往路９０を流れる水の流量を検出する水量センサ９１が取り付けられている。バーナ往路９０とバーナ復路９２の間は、バーナバイパス経路９４を介して連通している。バーナ往路９０とバーナバイパス経路９４の接続部に、バイパスサーボ８４が取り付けられている。バイパスサーボ８４は、バーナ往路９０からバーナバイパス経路９４へ流れる水の流量を調整する。バーナ復路９２には、熱交換器８２から流れ出る水の温度をバーナ出口温度として検出するバーナ出口サーミスタ９６が取り付けられている。バーナユニット８では、バーナ出口温度と目標加熱温度の差が小さくなるように、バーナ８０の加熱能力が調整される。バーナ復路９２からは、湯はり経路９８が分岐している。湯はり経路９８には、湯はり弁８８が取り付けられている。バーナユニット８からは、湯はり経路９８を介して、給湯箇所である浴槽への湯はりが行われる。バーナユニット８はさらに、バーナユニット８の各構成要素の動作を制御するバーナコントローラ１００を備えている。
【００２４】
ＨＰコントローラ２４とタンクコントローラ７４は、互いに通信可能である。タンクコントローラ７４とバーナコントローラ１００は、互いに通信可能である。従って、ＨＰコントローラ２４と、タンクコントローラ７４と、バーナコントローラ１００が協調して制御を行うことで、給湯装置２は沸上げ運転や給湯運転等の各種の動作を行うことができる。
【００２５】
（沸上げ運転）
沸上げ運転では、給湯装置２は、ＨＰユニット４を駆動して、タンク３０内の水を沸かし上げる。沸上げ運転を開始するタイミングは、様々な観点から設定することが可能である。例えば、割安な深夜電力を利用可能な時間帯が終了する直前に、タンク３０内の水の沸かし上げが終了するように、タンクコントローラ７４が沸上げ運転の開始タイミングを決定して、ＨＰコントローラ２４に沸上げ運転の開始を指示してもよい。あるいは、前日までの給湯実績に基づいて、大きな給湯需要の発生が予想される時刻の直前に、タンク３０の水の沸かし上げが終了するように、タンクコントローラ７４が沸上げ運転の開始タイミングを決定して、ＨＰコントローラ２４に沸上げ運転の開始を指示してもよい。あるいは、ユーザがリモコン７６を介してタンク３０の水の沸かし上げを指示することで、タンクコントローラ７４がＨＰコントローラ２４に沸上げ運転の開始を指示してもよい。
【００２６】
沸上げ運転の開始が指示されると、ＨＰコントローラ２４は、ヒートポンプ１７の圧縮機１０を駆動して、圧縮機１０、凝縮器１２、膨張弁１４、蒸発器１６の順に冷媒を循環させるとともに、循環ポンプ１８を駆動して、タンク３０と凝縮器１２の間で水を循環させる。これによって、タンク３０の底部から吸い出された水は、凝縮器１２において沸上げ温度まで加熱されて、タンク３０の頂部に戻される。タンクコントローラ７４は、上部サーミスタ３６、中間部サーミスタ３７および下部サーミスタ３８の検出温度や、戻りサーミスタ２０の検出温度から、タンク３０内の水が全て高温の水で置き換えられたことを検知すると、ＨＰコントローラ２４に沸上げ運転の終了を指示する。タンクコントローラ７４から沸上げ運転の終了が指示されると、ＨＰコントローラ２４は沸上げ運転を終了する。
【００２７】
（給湯運転）
給湯運転では、給湯装置２は、給湯設定温度に調温された水を給湯箇所へ給湯する。給湯装置２は、タンクユニット６の上部サーミスタ３６で検出されるタンク３０の上部の温度が給湯設定温度以上である場合、非燃焼給湯運転を行う。非燃焼給湯運転では、タンクコントローラ７４は、バーナコントローラ１００にバーナ８０の燃焼運転を禁止する。また、タンクコントローラ７４は、バイパス制御弁３４を開くとともに、混合サーミスタ６４で検出される温度が給湯設定温度となるように、混合弁３２の開度を調整する。この場合、タンク３０の上部から供給される高温の水と、給水経路４０から供給される低温の水が、混合弁３２において混合されることで給湯設定温度に調温されて、給湯箇所へ供給される。
【００２８】
上部サーミスタ３６で検出されるタンク３０の上部の温度が給湯設定温度に満たない場合、給湯装置２は、燃焼給湯運転を行う。燃焼給湯運転では、タンクコントローラ７４は、バーナコントローラ１００にバーナ８０の燃焼運転を許可して、バーナユニット８における目標加熱温度として給湯設定温度を指示する。また、タンクコントローラ７４は、バイパス制御弁３４を閉じるとともに、混合サーミスタ６４で検出される温度が、給湯設定温度よりもバーナ８０の最小加熱能力の分だけ低い温度となるように、混合弁３２の開度を調整する。この場合、タンク３０の上部から供給される高温の水と、給水経路４０から供給される低温の水が、混合弁３２において混合された後、バーナ８０によって目標加熱温度、すなわち給湯設定温度まで加熱されて、給湯箇所へ供給される。
【００２９】
上記の燃焼給湯運転では、第１給湯経路６２から送られる水は、バーナ往路９０、熱交換器８２、バーナ復路９２を経由して、第２給湯経路６６に流入する。この場合、給水源から給湯箇所までの流路長の増加に伴い圧力損失が増大し、給湯箇所へ所望の給湯流量を供給できないおそれがある。このような場合に、タンクコントローラ７４は、バーナユニット８における目標加熱温度として、給湯設定温度より高い温度、例えば給湯設定温度に所定温度幅（例えば１０℃）を加算した温度を、バーナコントローラ１００に指示する。また、タンクコントローラ７４は、バイパス制御弁３４を開いて、給湯サーミスタ６８で検出される温度が、給湯設定温度となるように、バイパス制御弁３４の開度を調整する。この場合、バーナ８０によって目標加熱温度まで加熱された水は、第２給湯経路６６において給湯バイパス経路７２からの低温の水と混合されて、給湯設定温度に調温されてから、給湯箇所へ供給される。
【００３０】
本実施例の給湯装置２では、燃焼給湯運転において、ユーザが低い給湯設定温度を設定したにも関わらず、給湯箇所に給湯上限温度（例えば５８℃）を超える温度の水が供給される事態を防止するために、バーナコントローラ１００が緊急停止処理を実行する。以下では、バーナコントローラ１００が行う緊急停止処理について、図２を参照しながら説明する。バーナコントローラ１００は、バーナ８０の燃焼を開始すると、図２の処理を実行する。
【００３１】
ステップＳ２では、バーナコントローラ１００は、目標加熱温度が給湯設定温度を超えているか否かを判断する。目標加熱温度が給湯設定温度を超える場合（ＹＥＳの場合）、タンクユニット６においてバイパス制御弁３４を用いた温度調整が行われており、バーナ８０からバーナ復路９２を介してタンクユニット６へ送られる高温の水は、第２給湯経路６６において給湯バイパス経路７２からの低温の水と混合されてから、給湯箇所へ供給される。この場合には、バーナコントローラ１００は以降の処理を行う必要がないから、処理はステップＳ２へ戻る。目標加熱温度が給湯設定温度以下の場合（ステップＳ２でＮＯの場合）、処理はステップＳ４へ進む。
【００３２】
ステップＳ４では、バーナコントローラ１００は、目標加熱温度が第１所定温度（例えば５５℃）以上であるか否かを判断する。目標加熱温度が第１所定温度以上である場合（ＹＥＳの場合）、ユーザがリモコン７６を介して設定した給湯設定温度が高く、ユーザは給湯箇所に高温の水が供給されることを予期していると考えられる。従って、この場合には、バーナコントローラ１００は以降の処理を行う必要がなく、処理はステップＳ２へ戻る。目標加熱温度が第１所定温度を下回る場合（ステップＳ４でＮＯの場合）、処理はステップＳ６へ進む。
【００３３】
ステップＳ６では、バーナコントローラ１００は、給湯設定温度が第２所定温度（例えば４５℃）以下であるか否かを判断する。給湯設定温度が第２所定温度を超えている場合（ＮＯの場合）、ユーザがリモコン７６を介して設定した給湯設定温度が高く、ユーザは給湯箇所に高温の水が供給されることを予期していると考えられる。従って、この場合には、バーナコントローラ１００は以降の処理を行う必要がなく、処理はステップＳ２へ戻る。給湯設定温度が第２所定温度以下である場合（ステップＳ６でＹＥＳの場合）、処理はステップＳ８へ進む。
【００３４】
ステップＳ８では、バーナコントローラ１００は、バーナ出口サーミスタ９６で検出されるバーナ出口温度が、給湯上限温度（例えば５８℃）以上であるか否かを判断する。バーナ出口温度が給湯上限温度を下回る場合（ＮＯの場合）、バーナ８０を消火する必要はないので、処理はステップＳ２へ戻る。バーナ出口温度が給湯上限温度以上である場合（ステップＳ８でＹＥＳの場合）、処理はステップＳ１０へ進む。
【００３５】
ステップＳ１０では、バーナコントローラ１００は、バーナ８０を消火する。
【００３６】
ステップＳ１２では、バーナコントローラ１００は、リモコン７６を介して、ユーザにバーナユニット８が異常停止したことを報知して、処理を終了する。
【００３７】
以上のように、本実施例のバーナユニット８は、燃料を燃焼させて水を加熱するバーナ８０と、バーナ８０で加熱された水の温度をバーナ出口温度として検出するバーナ出口サーミスタ９６と、バーナコントローラ１００を備えている。バーナコントローラ１００は、バーナ８０の燃焼時に、バーナ出口温度と目標加熱温度の差が小さくなるように、バーナ８０の加熱能力を調整するように構成されている。バーナコントローラ１００は、バーナ８０の燃焼時に、バーナ出口温度が給湯上限温度以上になると、バーナ８０を消火する緊急停止処理を実行するように構成されている。バーナコントローラ１００は、バーナ８０の燃焼時に、目標加熱温度が給湯設定温度を超える場合には、バーナ出口温度が給湯上限温度以上になっても、緊急停止処理を実行しないように構成されている。
【００３８】
本実施例の給湯装置２は、バーナユニット８と、バーナユニット８よりも上流側に配置された第１給湯経路６２と、バーナユニット８よりも下流側に配置された第２給湯経路６６と、バーナユニット８を介さずに第１給湯経路６２と第２給湯経路６６を接続する給湯バイパス経路７２と、給湯バイパス経路７２に設けられたバイパス制御弁３４を備えている。給湯装置２は、バーナユニット８のバーナ８０を燃焼させ、かつバイパス制御弁３４を開いて給湯を行う場合に、バーナユニット８の目標加熱温度を給湯設定温度より高く設定する。
【００３９】
本実施例の給湯装置２は、水を供給する給水経路４０と、水を蓄えるタンク３０と、タンク３０の下部と給水経路４０を接続するタンク給水経路４６と、タンク３０の上部と第１給湯経路６２を接続するタンク出湯経路５６と、タンク３０を介さずに給水経路４０と第１給湯経路６２を接続するタンクバイパス経路４８と、タンク出湯経路５６から第１給湯経路６２に流れる水の流量とタンクバイパス経路４８から第１給湯経路６２に流れる水の流量の割合を調整する混合弁３２をさらに備えている。
【００４０】
本実施例の給湯装置２は、外気から吸熱して水を加熱するヒートポンプ１７と、タンク３０とヒートポンプ１７の間で水を循環させる循環経路１９と、循環経路１９に設けられた循環ポンプ１８をさらに備えている。
【００４１】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００４２】
本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００４３】
２      ：給湯装置
４      ：ＨＰユニット
６      ：タンクユニット
８      ：バーナユニット
１０    ：圧縮機
１２    ：凝縮器
１４    ：膨張弁
１６    ：蒸発器
１７    ：ヒートポンプ
１８    ：循環ポンプ
１９    ：循環経路
２０    ：戻りサーミスタ
２２    ：往きサーミスタ
２３    ：外気温度サーミスタ
２４    ：ＨＰコントローラ
３０    ：タンク
３２    ：混合弁
３４    ：バイパス制御弁
３６    ：上部サーミスタ
３７    ：中間部サーミスタ
３８    ：下部サーミスタ
４０    ：給水経路
４２    ：減圧弁
４４    ：入水サーミスタ
４６    ：タンク給水経路
４８    ：タンクバイパス経路
５０    ：逆止弁
５２    ：逆止弁
５４    ：水側水量センサ
５６    ：タンク出湯経路
５８    ：逆止弁
６０    ：湯側水量センサ
６２    ：第１給湯経路
６４    ：混合サーミスタ
６６    ：第２給湯経路
６８    ：給湯サーミスタ
７０    ：逆止弁
７２    ：給湯バイパス経路
７４    ：タンクコントローラ
７６    ：リモコン
８０    ：バーナ
８２    ：熱交換器
８４    ：バイパスサーボ
８６    ：水量サーボ
８８    ：湯はり弁
９０    ：バーナ往路
９１    ：水量センサ
９２    ：バーナ復路
９４    ：バーナバイパス経路
９６    ：バーナ出口サーミスタ
９８    ：湯はり経路
１００  ：バーナコントローラ
【図１】
2018162955.tif 000003
【図２】
2018162955.tif 000004